【事件の表示】
　平成９年特許願第２１８６１２号「円板状記録媒体駆動装置及びそのターンテーブル」拒絶査定不服審判事件〔平成１１年３月９日出願公開、特開平１１−６６７１８〕について、次のとおり審決する。
【結　論】
　本件審判の請求は、成り立たない。
【理　由】
第１　手続の経緯 
　本願は、平成９年８月１３日の出願であって、平成１７年７月２５日付けで通知した最初の拒絶理由に対して同年９月２６日付けで手続補正がされ、さらに同年１０月２４日付けで通知した最後の拒絶理由に対して同年１２月２７日付けで手続補正がなされたところ、平成１７年１２月２７日付けの手続補正が平成１８年１月２５日付けで補正却下されるとともに、同日付けで拒絶査定がされた。
　これに対して平成１８年３月３日に拒絶査定不服審判が請求されるとともに、同年４月３日付けで手続補正がなされたが、当審において平成１８年４月３日付けの手続補正を平成２１年２月１３日付けで補正却下するとともに、同日付けで最後の拒絶理由を通知したところ、これに対し、平成２１年４月２０日付けで手続補正がなされたものである。
　
　
第２　平成２１年４月２０日付けの手続補正について
［結論］
　平成２１年４月２０日付けの手続補正を却下する。
　
〔理由〕
１．補正の内容
　平成２１年４月２０日付けの手続補正（以下、「本件補正」という。）は、特許請求の範囲について、補正前に
（ａ）
「【請求項１】　２枚以上のディスク要素が張り合わされて成る張り合わせ型の円板状記録媒体を支持して回転するターンテーブルであって、
　上記円板状記録媒体を載置する載置面から突出し、上記円板状記録媒体の取付基準孔に対してセンターリングを行うセンターリング突部を有し、
　上記センターリング突部は、その外径が上記２枚以上のディスク要素のうち上記載置面側に位置する１つのディスク要素の取付け基準孔の内径とほぼ同じに形成され、上記センターリング突部のその他の部分より外径が大きく形成された位置決め部と、該位置決め部より上方に位置し上記２枚以上のディスク要素のうち他のディスク要素の取付基準孔を押圧するチャッキング爪とを有する
　ことを特徴とするターンテーブル。
　【請求項２】　上記チャッキング爪を上記センターリング突部の外周面から突出する方向へ付勢する付勢手段を設けた
　ことを特徴とする請求項１に記載のターンテーブル。
　【請求項３】　上記位置決め部は、その高さが上記２枚以上のディスク要素のうちの上記１つのディスク要素の高さと同じか又は小さく形成された
　ことを特徴とする請求項１に記載のターンテーブル。
　【請求項４】　上記位置決め部と上記センターリング突部の上記その他の部分の間に、傾斜面が形成された
　ことを特徴とする請求項１に記載のターンテーブル。
　【請求項５】　２枚以上のディスク要素が張り合わされて成る張り合わせ型の円板状記録媒体を支持して回転するターンテーブルで、
　上記円板状記録媒体を載置する載置面から突出し、上記円板状記録媒体の取付基準孔に対してセンターリングを行うセンターリング突部を有し、
　上記センターリング突部は、その外径が上記２枚以上のディスク要素のうち上記載置面側に位置する１つのディスク要素の取付け基準孔の内径とほぼ同じに形成され、上記センターリング突部のその他の部分より外径が大きく形成された位置決め部と、該位置決め部より上方に位置し上記２枚以上のディスク要素のうち他のディスク要素の取付基準孔を押圧するチャッキング爪とを有するターンテーブルを備える
　ことを特徴とする円板状記録媒体駆動装置。」とあったものを、
　
（ｂ）
「【請求項１】　２枚以上のディスク要素が張り合わされて成る張り合わせ型の円板状記録媒体を支持して回転するターンテーブルであって、
　上記円板状記録媒体を載置する載置面から突出し、上記円板状記録媒体の取付基準孔に対してセンターリングを行うセンターリング突部を有し、
　上記センターリング突部は、その外径が上記２枚以上のディスク要素のうち上記載置面側に位置する１つのディスク要素の取付け基準孔の内径とほぼ同じに形成され、上記センターリング突部のその他の部分より外径が大きく形成された位置決め部と、該位置決め部より上方に位置し上記２枚以上のディスク要素のうち他のディスク要素の取付基準孔を押圧するチャッキング爪とを
有し、
　
上記チャッキング爪を上記センターリング突部の外周面から突出する方向へ付勢する付勢手段を設け、
　
上記位置決め部は、その高さが上記２枚以上のディスク要素のうちの上記１つのディスク要素の厚さと同じか又は小さく形成されるとともに、位置決め部と上記センターリング突部の上記その他の部分の間に傾斜面が形成された
　ことを特徴とするターンテーブル。
【請求項２】　２枚以上のディスク要素が張り合わされて成る張り合わせ型の円板状記録媒体を支持して回転するターンテーブルで、
　上記円板状記録媒体を載置する載置面から突出し、上記円板状記録媒体の取付基準孔に対してセンターリングを行うセンターリング突部を有し、
　上記センターリング突部は、その外径が上記２枚以上のディスク要素のうち上記載置面側に位置する１つのディスク要素の取付け基準孔の内径とほぼ同じに形成され、上記センターリング突部のその他の部分より外径が大きく形成された位置決め部と、該位置決め部より上方に位置し上記２枚以上のディスク要素のうち他のディスク要素の取付基準孔を押圧するチャッキング爪とを有するターンテーブルを
備え、
　
上記チャッキング爪を上記センターリング突部の外周面から突出する方向へ付勢する付勢手段を設け、
　
上記位置決め部は、その高さが上記２枚以上のディスク要素のうちの上記１つのディスク要素の厚さと同じか又は小さく形成されるとともに、位置決め部と上記センターリング突部の上記その他の部分の間に傾斜面が形成された
　ことを特徴とする円板状記録媒体駆動装置。」
と補正しようとするものである。
　
２．補正の目的についての検討
　本件補正は、概略、補正前の請求項１及び５について、発明を特定するために必要な事項を限定するとともに、請求項２ないし４を削除し、請求項番号を整理したもので、平成１４年法律第２４号改正附則第２条第１項によりなお従前の例によるとされる同法による改正前の特許法第１７条の２第４項第１号及び第２号に掲げる事項を目的とするものに該当する。
　そこで、本件補正後の請求項１に記載された発明（以下、「本願補正発明」という。）が特許出願の際独立して特許を受けることができるものであるか否かについて以下に検討する。
　
３．引用例
（１）当審で通知した最後の拒絶理由に引用した特開昭５７−４６３６４号公報（以下、「引用例１」という。）には、ディスク再生装置について、図面と共に次の事項が記載されている（なお、以下、引用例摘記事項の下線は当審で付した。）。
ア．「中心孔を有し、かつ片面に情報を幾何学的変化の形で記録した
２枚の円盤を貼り合わせることによって両面再生可能としたディスク
ディスクの中心孔と嵌合する中心軸を、上記ディスクを形成する上記２枚の円盤のうち再生される側の円盤の中心孔と嵌合する部分の径を再生されない側の円盤の中心孔と嵌合する部分の径よりも大きくした
　
イ．「本発明は
ターンテーブルの中心軸の形状
ディスクのいずれの面においてもトラックの偏心を最小にする
　
ウ．「第１図，第２図は本発明のディスク再生装置の一実施例を示しており、
モータ５の回転軸にターンテーブル６が結合され、このターンテーブル６を搭載したディスク７の下方よりレーザ光を上記ディスク７に照射して上記ディスク７に記録した情報信号をピックアップするようになっている
ターンテーブル６に搭載されたディスク７の中心孔に嵌合される中心軸８は根本部分の嵌合部９の径が大きく、先端部分の１０の径が小さく、上記ターンテーブル６に搭載したディスク７の中心位置合わせは主として嵌合部９によって行われる
　ところで、上述した貼り合わせ構造の両面再生可能なディスク７を上記ターンテーブル６に搭載し、その中心孔をその中心軸８に嵌合した場合、
第２図に示すように下面の円盤Ｂの情報トラックが再生される。この時、ターンテーブルの中心軸８のうち、再生中の円盤Ｂ面の中心孔７Ｂと嵌合する部分９は、円盤Ａ面の中心孔７Ａと嵌合する部分１０よりも径が大きく、ディスク７をターンテーブルに搭載した際の中心位置合わせは主として嵌合部９のみで行われることになり、嵌合部１０の大きな間隔があっても問題はない
ディスク７を裏返した場合を考えると、今度は円盤Ａの中心孔７Ａが嵌合部９に嵌合することになり、常に再生される面を基準にして中心位置が合わせられる
貼り合わせの精度が多少悪くて中心孔７Ａ，７Ｂにずれを生じようとも、嵌合部１０との間隙が余裕があれば何ら問題なく嵌合し得て中心位置合わせを行うことができる
　
エ．第１図の平面図には、ターンテーブル６、根本部分の嵌合部９、先端部分の嵌合部１０、中心軸８が、同心円状に図示されている。
　
オ．第２図の要部切欠断面図には、ターンテーブル６に搭載されたディスク７と、中心軸８の根本部分の嵌合部９とが図示され、嵌合部９の高さが、円盤Ａ，Ｂの透明アクリル基材１Ａ及び１Ｂ各々の厚みより小さいことが図示されている。
　また、根本部分の嵌合部９と先端部分の嵌合部１０との間が傾斜していること、中心軸８の先端部分の嵌合部１０と、ターンテーブル６に搭載されたディスク７の円盤の中心孔７Ａとの間に間隙があることが図示されている。
　
カ．第３図のディスク要部拡大断面図には、Ｂ面からＡ面にかけて、順に、アクリル基材１Ｂ、情報トラック２Ｂ、保護層３Ｂ、接着剤（又は接着層）４、保護層３Ａ、情報トラック２Ａ、アクリル基材１Ａが図示されている。
　
　上記「ア．」ないし「カ．」を参照すると、引用例１には、ターンテーブルの中心軸の形状の、先端部分の嵌合部の径を、根本部分の嵌合部の径よりも小さくした、次の発明（以下、「引用発明１」という。）が記載されている。
「２枚の円盤を貼り合わせた両面再生可能なディスクを搭載する、モータの回転軸に結合されたターンテーブルであって、
　ターンテーブルに搭載されたディスクの中心孔に嵌合される中心軸を有し、
　中心軸は、その径が先端部分の嵌合部の径より大きく、再生される側の円盤の中心孔の中心位置合わせを行う根本部分の嵌合部と、再生されない側の円盤の中心孔と間隔を有して嵌合する先端部分の嵌合部とを有し、
　根本部分の嵌合部は、その高さが円盤の厚みより小さく、根本部分の嵌合部と先端部分の嵌合部との間が傾斜しているターンテーブル。」
　
（２）同じく当審で通知した最後の拒絶理由に引用した特開平７−１９２３６８号公報（以下、「引用例２」という。）には、ディスク用ターンテーブル装置について、図面と共に次の事項が記載されている。
　
キ．「【００２３】（キャップＣについて）図５および図６において、剛性を有するキャップＣにはモータＭ（図７参照）の回転軸Ｓが圧入される内側円筒４１が設けられ、この内側円筒４１の上部には、中央部に円形の開口を具備する円板の蓋部４２が形成されている。この蓋部４２の外周の下部には外側円筒４３が設けられている。この外側円筒４３は内側円筒４１よりも長く形成され、その下端部は内側円筒４１の下端部よりも下方に延在している。また、外側円筒４３の外径はＣＤの孔の直径（内径）である１５ミリと略同じであるが、正確にはそれよりもやや小さな大きさである。外側円筒４３には等間隔にすなわち１２０度間隔に３個の矩形の開口４６が形成されている。
【００２４】（組み付けについて）図７に図示するディスク用ターンテーブル装置は、図１ないし図６に図示するディスク用ターンテーブル装置と相違して、キャップＣの開口４６に代えて切欠き５１が形成され、かつ円弧バネ部２３の上下の幅が広く形成されている。また、ディスクチャック部材Ｋの形状保持リング２１の内径が、キャップＣの内側円筒４１の外径と略等しく形成されている。
【００２５】そして、図７において、まず初めにモータＭの回転軸ＳにターンテーブルＴの円筒部１を圧入固定する。ついで、ディスクチャック部材Ｋを挿入して、その上からキャップＣの内側円筒４１をモータＭの回転軸Ｓに圧入固定する。すると、
キャップＣの外側円筒４３の下端部がターンテーブルＴの支持台８の段部９に当接し組み付けられる。
【００２６】なお、図１ないし図６に図示するディスク用ターンテーブル装置の場合には、前もって、ディスクチャック部材Ｋのディスク係止部２６を内側に押圧して弾性変形させて、
キャップＣにディスクチャック部材Ｋを挿入し、キャップＣの外側円筒４３の内側にディスクチャック部材Ｋを嵌合させて、該キャップＣの開口４６とディスク係止部２６を一致させる。すると、ディスク係止部２６は開口４６から突出し
　
ク．「【００２８】図１および図９において、ＣＤを上から挿入すると、
ＣＤの内周がディスクチャック部材Ｋのディスク係止部２６に当接して、ディスク係止部２６の先端の上部傾斜面２６ａを押圧する。
ディスク係止部２６は円弧バネ部２３（図２参照）に抗してキャップＣの内側に移動する
、ＣＤはディスク係止部２６の先端を通過して、下方に移動して図８および図１０に図示するように、ターンテーブルＴのディスク載置面６に載置される
【００２９】
各ディスク係止部２６の下部傾斜面２６ｂは円弧バネ部２３の付勢力でＣＤを外側およびターンテーブルＴ側に押圧している。
ディスク係止部２６は上下方向には移動しないで、径方向に移動する。
ディスク係止部２６は径方向の直進運動を行うのでディスクの心出しおよび押さえが確実に行える
　
（３）同じく当審で通知した最後の拒絶理由に引用した特開平８−３３５３５１号公報（以下、「引用例３」という。）には、ターンテーブルについて、図面と共に次の事項が記載されている。
ケ．「【００１２】ターンテーブル本体１は、ディスク２１の中央にある穴２１ａに挿入され側面の３箇所に窓部４…が開口した円筒状のボス３と、このボス３の下端の周囲に設けられディスク２１を受けるフランジ部２とからなる。また、図２に示すように、ボス３の内部の窓部４…に対応する位置にレバー９…を収納する収納部１７…が設けられ、これらの収納部１７…を除く位置に複数の突部８…が突設される。また、図１に示すように、窓部４…の下縁部に内方へ下り傾斜してレバー９…をボス３の内側へ案内する斜面５…が形成してある。このターンテーブル本体１の軸心には穴６が設けられ、後述のスピンドルモータ２５の軸２７が挿入される。
【００１３】レバー９は、窓部４から突没可能にボス３の収納部１７に格納されている。また、図３に示すように、レバー９の窓部４側の外側面の上部に、斜面が上向きになるように傾斜させてディスク２１の穴を案内する案内部１０を形成し、この案内部１０の下側に、斜面が下向きになるように傾斜させてディスク２１をチャッキングするチャッキング部１１を形成している。案内部１０の斜面長さはチャッキング部１１の斜面長さより短くしてある。また、チャッキング部１１に連続して底面につながる斜面１２が形成してあり、ターンテーブル本体１の斜面５に当接して下側に滑ることにより、レバー９の滑らかな動きを助長する。また、内側面の下部にも斜面１８が形成してあり、板ばね１４により押圧される。１３はストッパ面であり、ターンテーブル本体１の窓部４の両側のボス３の内側面に当たってレバー９の飛び出し量を制限する。
【００１４】板ばね１４は、レバー９をディスク２１の径方向の外側に付勢するものである。この場合、板ばね１４は、図１および図２等に示すように、ボス３の内部に嵌合固定される円形であり、ターンテーブル本体１の収納部１７に対応するように上側へ切り起こした押圧部１５…が３箇所に形成してある。この押圧部１５によりレバー９の斜面１８を押圧して径方向の外側へ付勢している。また、ターンテーブル本体１の複数の突部８…に対応する位置に複数の穴１６…が穿設してある。取付状態では、穴１６を突部８に挿入し、穴１６から突出した突部８の先端を溶着により潰すことにより固定される。」
　
コ．「【００１７】以上のように構成されたターンテーブルの動作について説明する。図４（ａ）は、
ディスク２１をターンテーブルに置いた状態を示している。この状態では、レバー９の外側面が窓部４から突出している
【００１８】つぎに、図４（ｂ）に示すように、
ディスク２１を指等で押し込みボス３の側面に沿って下方へ移動させる。
図４（ｃ）に示すように、ディスク２１の穴２１ａの上側の角部にレバー９のチャッキング部１１が当接し、弾性変形していた板ばね１４の押圧部１５が復元してレバー９が元の突出した状態に戻る。
ディスク２１はフランジ部２に押圧され、完全に保持される
【００１９】この実施例によれば、レバー９の窓部４側の外側面の上部に、斜面が上向きになるように傾斜させてディスク２１の穴を案内する案内部１０を形成し、この案内部１０の下側に、斜面が下向きになるように傾斜させてディスク２１をチャッキングするチャッキング部１１を形成し、案内部１０の斜面長さをチャッキング部１１の斜面長さより短くしたことにより、ターンテーブル本体１の薄型化が可能になる。また、板ばね１４の押圧部１５によりレバー９をディスク２１の径方向の外側に付勢する構成としたことにより、ターンテーブル本体１を裏向きにした状態で、ボス３の内側の収納部１７にレバー９を配置した後、板ばね１４を取付けるだけでよいので、組立作業性が良く、部品点数も少なくなる。
また、板ばね１４を用いたので、限られたスペースでもばね圧を十分大きく取れるので、ＣＤ−ＲＯＭ等の高回転にディスク２１を回すのに十分な保持力を確保できる
　
（４）同じく当審で通知した最後の拒絶理由に引用した特開平９−３５３８１号公報（以下、「引用例４」という。）には、円盤状記録媒体の保持装置について、図面と共に次の事項が記載されている。
サ．「【０００２】
【従来の技術】コンピュータの外部記憶装置に用いられる
ＣＤ−ＲＯＭに代表される円盤状記録媒体は、ドライブ装置の駆動軸に対してなるべく滑りのないように結合する
　
シ．「【０００６】図１は、本発明に基づき構成された円盤状記録媒体の保持装置を示している。
この保持装置１は、駆動モータ２の出力軸３に固着されており、円盤状記録媒体を代表するＣＤ−ＲＯＭ４をその上面にて保持する
ＣＤ−ＲＯＭ４の中心孔４ａに嵌合し得る円筒面を有するガイドボス５がその上面に突設された円盤状のセンタプレート６と、ガイドボス５の中心部に装着されたコイルばね７によって常時上向きに弾発付勢された状態で軸線方向変位可能にガイドボス５の内側に装着された可動子８と、ガイドボス５の円周を３等分する位置に設けられた切欠部９内にてその上端を直径線に沿って揺動可能なようにその下端をセンタプレート６に枢着された３つの係合子１０とを有している
【０００７】係合子１０は、可撓性に富む合成樹脂材にて形成されており、下向きに延出された一対の脚部１１を備えている。これら一対の脚部１１の下端には、側方へ突出する突起１２が形成されており、これらの突起１２をガイドボス５の切欠部９の対向内面の基端側に設けられた凹部１３に突入させることにより、径方向に沿って揺動自在なように係合子１０がセンタプレート６に係合し得るようになっている。これらの
係合子１０の上端部には、上下にテーパ面１４ａ・１４ｂが形成され、かつセンタプレート６に取り付けた状態で径方向外向きに突出する突起１５が突設されている。
　
ス．「【００１２】
ＣＤ−ＲＯＭ４を一杯に押し込む
突起１２の下側のテーパ面１４ｂがＣＤ−ＲＯＭ４の上面側に係合し、抜去抵抗力が作用する。
　
４．対比
　本願補正発明と引用発明１を対比する。
　引用発明１の「ディスク」は、「２枚の円盤を貼り合わせた」もので、２枚の「円盤」は、それぞれ「ディスク要素」といえるから、本願補正発明の「２枚以上のディスク要素が貼り合わされて成る貼り合わせ型の円板状記録媒体」に相当する。
　
　引用発明１の「モータの回転軸に結合されたターンテーブル」は、ディスクを支持して回転させるためのものであることが明らかであるから、本願補正発明の「円板状記録媒体を支持して回転するターンテーブル」に相当する。
　
　引用発明１では、ディスクの中心孔とターンテーブルの中心軸が嵌合する関係にあることからすると、引用発明１の「ディスク」の「中心孔」は、本願補正発明の「円板状記録媒体」の「取付基準孔」に相当し、引用発明１の「ターンテーブルに搭載されたディスクの中心孔に嵌合される中心軸」は、嵌合されることによりディスクのセンタリングを行うものであることが明らかであるから、本願補正発明の「円板状記録媒体を載置する載置面から突出し、円板状記録媒体の取付基準孔に対してセンターリングを行うセンターリング突部」に相当する。
　
　引用発明１では、ディスクをターンテーブルに搭載した状態で下面の円盤の情報トラックが再生される(上記「ウ．」参照)から、「再生される側の円盤」及び「再生されない側の円盤」は、それぞれ本願補正発明の「２枚以上のディスク要素のうち載置面側に位置する１つのディスク要素」及び「２枚以上のディスク要素のうち他のディスク要素」に相当する。
　
　引用発明１の「中心軸」は、「根本部分の嵌合部」と「先端部分の嵌合部」とで形成されているところ、前記「根本部分の嵌合部」は、「その径が先端部分の嵌合部の径より大きく、再生される側の円盤の中心孔の中心位置合わせを行う」ものであるから、本願補正発明の「その外径が上記２枚以上のディスク要素のうち上記載置面側に位置する１つのディスク要素の取付け基準孔の内径とほぼ同じに形成され、上記センターリング突部のその他の部分より外径が大きく形成された位置決め部」に相当する。
　同じく前記「根本部分の嵌合部」は、「その高さが円盤の厚みより小さく」形成されているので、本願補正発明の「位置決め部は、その高さが２枚以上のディスク要素のうちの１つのディスク要素の厚さ（より）小さく形成される」との特定事項を備えている。
　同じく前記「根本部分の嵌合部」は、前記のとおり「その高さが円盤の厚みより小さく」形成されているので、ターンテーブル側の円盤の中心孔とのみ嵌合することは自明であり、その状態で「ディスク７の中心位置合わせは主として嵌合部９によって行われる(上記「ウ．」参照）」のであるから、上記ターンテーブル側の円盤の中心孔の内径とほぼ同じに形成されていることが明らかで、本願補正発明の「位置決め部」が「その外径が２枚以上のディスク要素のうち載置面側に位置する１つのディスク要素の取付け基準孔の内径とほぼ同じに形成され」たとの特定事項を実質的に備えている。
　
　引用発明１の「中心軸」の「先端部分の嵌合部」は、本願補正発明の「センターリング突部のその他の部分」に相当する。
　同じく前記「中心軸」の「先端部分の嵌合部」は、「再生されない側の円盤の中心孔と間隙を有して嵌合する」部分であるから、本願補正発明の「位置決め部より上方に位置し２枚以上のディスク要素のうち他のディスク要素の取付基準孔」に位置している部分に相当する。
　
　引用発明１の「根本部分の嵌合部と先端部分の嵌合部の間が傾斜している」ことは、本願補正発明の「位置決め部とセンターリング突部のその他の部分の間に傾斜面が形成された」ことに相当する。
　
　以上のことから、本願補正発明と引用発明１は、次の点で一致する。
「２枚以上のディスク要素が張り合わされて成る張り合わせ型の円板状記録媒体を支持して回転するターンテーブルであって、
　上記円板状記録媒体を載置する載置面から突出し、上記円板状記録媒体の取付基準孔に対してセンターリングを行うセンターリング突部を有し、
　上記センターリング突部は、その外径が上記２枚以上のディスク要素のうち上記載置面側に位置する１つのディスク要素の取付け基準孔の内径とほぼ同じに形成され、上記センターリング突部のその他の部分より外径が大きく形成された位置決め部と、該位置決め部より上方に位置し上記２枚以上のディスク要素のうち他のディスク要素の取付基準孔（に位置する部分）とを有し、
　上記位置決め部は、その高さが上記２枚以上のディスク要素のうちの上記１つのディスク要素の厚さ（より）小さく形成されるとともに、位置決め部と上記センターリング突部の上記その他の部分の間に傾斜面が形成された
　ターンテーブル。」
　
　一方で、両者は次の点で相違する。
　２枚以上のディスク要素のうち他のディスク要素の取付基準孔に位置する部分に、本願補正発明は「取付基準孔を押圧するチャッキング爪を有し、チャッキング爪をセンターリング突部の外周面から突出する方向へ付勢する付勢手段を設け」ているのに対し、引用発明１は、「取付け基準孔と間隙を有して嵌合する先端部分の嵌合部」を有している点。
　
５．判断
　上記相違点について検討する。
　引用例２には、外側円筒の外周面に形成された開口部から突出してディスクの内周孔を押さえるディスク係止部を備え、円弧ばね部がディスク係止部を前記開口部から突出するように付勢しているターンテーブルが記載されている。上記ディスク係止部は、ディスク内周の孔を外側及びターンテーブル側に押圧している。図８を参照すると、ディスク係止部の下側斜面がＣＤの中心孔の上側角部を押圧する様子が示されている。
　すると、引用例２における外側円筒は、ＣＤの中心孔が、わずかの隙間で嵌合するように形成されているから、本願補正発明のセンターリング突部に相当し、ディスク係止部は、外側円筒の外周面から突出する方向に付勢されてディスクの中心孔を外側及びターンテーブル側へ押圧する点で本願補正発明のチャッキング爪と共通する。
　
　引用例３には、ボスの側面に開口した窓部から突出するように板ばねで付勢されたレバーを備えたターンテーブルが記載されている。前記レバーは、ディスクの穴の上側角部に当接するチャッキング部を備え、ディスクをターンテーブルのフランジ部に押圧している。
　すると、引用例３におけるボスは、ディスクの中心孔が挿入されるように形成されている点において本願補正発明のセンターリング突部と共通し、チャッキング部は、ボスの側面から突出する方向に付勢されてディスクの中心孔を外側及びターンテーブル側へ押圧する点で本願補正発明のチャッキング爪と共通する。
　
　引用例４には、ＣＤ−ＲＯＭの中心孔に嵌合しうる円筒面を有するガイドボスと、前記ガイドボスに設けられた切欠部に係合子を備え、コイルばねが係合子をガイドボスから突出するように付勢しているセンタープレートが記載されている。上記係合子の下側のテーパ面はＣＤ−ＲＯＭ中心孔の上面側に係合し、ＣＤ−ＲＯＭをドライブ装置の駆動軸に滑りのないように結合している。
　すると、引用例４おけるガイドボスは、ＣＤ−ＲＯＭの中心孔が挿入されるように形成されている点において本願補正発明のセンターリング突部と共通し、係合子は、ガイドボスの側面から突出する方向に付勢されてディスクの中心孔を外側へ押圧する点で本願補正発明のチャッキング爪と共通する。
　
　引用発明１のディスク再生装置においても、ターンテーブルに搭載されたディスクが高速で回転するときに確実にターンテーブルに保持されるための手段を講じることは当然であるから、引用例２ないし引用例４に記載された発明を参照することにより「チャッキング爪」及び「チャッキング爪をセンタリング突部の外周面から突出する方向へ付勢する付勢手段を設け」ることは当業者が容易に想到しうることである。
　その際、同じく引用例２ないし引用例４に記載された発明を参照して、上記「チャッキング爪」がディスクの中心孔の上側角部を押圧するように構成することにより、ディスクを外側とターンテーブル側へ押圧することも当業者が容易に想到しうることである。ここで、ディスクに「２枚の円盤を貼り合わせた両面再生可能なディスク」を使用した場合には、チャッキング爪に押圧される中心孔の上側角部は、上側のディスクの中心孔の上側角部となるから、「２枚以上のディスク要素のうち他のディスク要素の取付基準孔を押圧するチャッキング爪」となることは当然の結果にすぎない。
　
　結局、上記相違点は格別なものではなく、また、本願補正発明の奏する効果は当業者が当然に予測できる範囲内のもである。
　したがって、本願補正発明は、上記各引用例に記載された発明に基づいて、当業者が容易に発明することができたものであるから、特許法第２９条第２項の規定により、特許出願の際独立して特許を受けることができないものである。
　
６．本件補正についてのむすび
　以上のとおり、本件補正は、補正後の特許請求の範囲に記載されている事項により特定される発明が特許出願の際独立して特許を受けることができるものではないから、平成１８年法律第５５号改正附則第３条第１項によりなお従前の例によるとされる同法による改正前の特許法第１７条の２第５項で準用する同法第１２６条第５項に規定する要件を満たさないものであり、同法第１５９条第１項において準用する、同法第５３条第１項の規定により却下すべきものである。
　よって、結論のとおり決定する。
　
　
第３　本願発明について
１．本願発明
　平成２１年４月２０日付け手続補正は、上記「第２」に記載したとおり却下されたので、本願の請求項１ないし５に係る発明は、平成１７年９月２６日付けで手続補正された明細書の特許請求の範囲に記載されたとおりのものと認められるところ、そのうち、請求項１に係る発明（以下、「本願発明」という。）は、上記「第２」の「１．（ａ）」に記載した、本件補正前の請求項１のとおりである。
　
２．引用例
　当審で通知した最後の拒絶理由に引用した引用例は、上記「第２」の「３．引用例」に記載したとおりである。
　
３．対比・判断
　本願発明は、上記「第２」で検討した本願補正発明から、「上記チャッキング爪を上記センターリング突部の外周面から突出する方向へ付勢する付勢手段を設け、
　上記位置決め部は、その高さが上記２枚以上のディスク要素のうちの上記１つのディスク要素の厚さと同じか又は小さく形成されるとともに、位置決め部と上記センターリング突部の上記その他の部分の間に傾斜面が形成された」との限定を削除したものに相当する。
　そうすると、本願発明を特定するために必要な事項を全て含み、さらに他の事項を付加したものに相当する本願補正発明が、上記「第２」の「５．判断」における検討で示したとおり、各引用例に記載された発明に基づいて当業者が容易に発明をすることができたものであるから、本願発明も同様の理由により、各引用例に記載された発明に基づいて当業者が容易に発明をすることができたものである。
　
４．むすび
　以上のとおり、本願の請求項１に係る発明は、各引用例に記載された発明に基づいて当業者が容易に発明をすることができたものであるから、特許法第２９条第２項の規定により特許を受けることができない。
　したがって、本願は、その他の請求項について検討するまでもなく、拒絶すべきものである。
　よって、結論のとおり審決する。